(57)【要約】  【課題】  本発明は、家庭用冷蔵庫のように扉の閉鎖にバネ力を利用せず、その扉裏側のパッキングに冷蔵庫本体の前面の磁性体部分に吸着する永久磁石を内蔵させ、手で扉を開閉する形態のものにおいても、扉の閉鎖が確実に行える扉の開閉装置を提供するものである。  【解決手段】  前面開口の本体の一側にヒンジ装置のヒンジ軸によって横方向に開閉自在に支持された扉が設けられ、ヒンジ軸と同軸に周囲に多数の歯を形成した固定歯車が設けられ、扉には固定歯車の歯に噛み合って扉の開閉に伴って回転する回転歯車と回転歯車の回転によって発電する回転機が設けられ、扉の開放に伴うこの回転機の発電電力を蓄積する蓄電部を設け、扉の閉鎖動作時にこの蓄積した電力によって回転機を扉閉鎖方向に回転する電力として供給する制御部を設けたこと。【選択図】      図４
2005120697.tif 000002
【特許請求の範囲】
【請求項１】
前面開口の本体の一側にヒンジ装置のヒンジ軸によって横方向に開閉自在に支持された扉が設けられ、前記ヒンジ軸と同軸に周囲に多数の歯を形成した固定歯車が設けられ、前記扉には前記固定歯車の歯に噛み合って前記扉の開閉に伴って回転する回転歯車とこの回転歯車の回転によって発電する回転機が設けられ、前記扉の開放に伴うこの回転機の発電電力を蓄積する蓄電部を設け、前記扉の閉鎖動作時にこの蓄積した電力によって前記回転機を前記扉閉鎖方向に回転する電力として供給する制御回路部を設けたことを特徴とする扉の開閉装置。
【請求項２】
前面開口の本体の一側にヒンジ装置によって横方向に開閉自在に扉が設けられ、この扉の裏側には前記本体の前面開口周縁部に当接する磁石内蔵パッキングが取り付けられた冷蔵庫において、前記ヒンジ装置は前記本体の上面に取り付けたヒンジ板から下方へ延びて前記扉が回動自在に支持されたヒンジ軸を備え、このヒンジ軸を中心にして周囲に多数の歯を形成した固定歯車が前記ヒンジ板の下側でこのヒンジ軸又は前記ヒンジ板に取り付けられ、前記扉の上側には前記固定歯車の歯に噛み合って前記扉の開閉に伴って回転する回転歯車が設けられ、前記扉にはこの回転歯車の回転によって発電する回転機が設けられ、前記扉の開放に伴うこの回転機の発電電力を蓄積する蓄電部を設け、前記扉の閉鎖動作時にこの蓄積した電力によって前記回転機を前記扉閉鎖方向に回転する電力として供給する制御回路部を設けたことを特徴とする扉の開閉装置。
【請求項３】
前面開口の本体の一側にヒンジ装置のヒンジ軸によって横方向に開閉自在に支持された扉が設けられ、前記ヒンジ軸と同軸に周囲に多数の歯を形成した固定歯車が設けられ、前記扉には前記固定歯車の歯に噛み合って前記扉の開閉に伴って回転する回転歯車とこの回転歯車の回転によって発電する回転機が設けられ、前記扉の開放に伴うこの回転機の発電電力を蓄積する蓄電部と、磁石とホール素子の組み合わせにより前記扉の開閉位置を検出する扉位置検出装置とを設け、前記扉の閉鎖動作時にこの扉位置検出装置の検出に基づき前記蓄積した電力によって前記回転機を前記扉閉鎖方向に回転する電力として供給する制御回路部を設けたことを特徴とする扉の開閉装置。
【請求項４】
前記固定歯車と永久磁石を前記本体側に設け、前記ホール素子、前記回転歯車、前記回転機、前記蓄電部及び前記制御回路部を前記扉側に設けたことを特徴とする請求項３に記載の扉の開閉装置。
【請求項５】
前面開口の本体の一側にヒンジ装置によって横方向に開閉自在に扉が設けられ、この扉の裏側には前記本体の前面開口周縁部に当接する磁石内蔵パッキングが取り付けられた冷蔵庫において、前記ヒンジ装置は前記本体の上面に取り付けたヒンジ板から下方へ延びて前記扉が回動自在に支持されたヒンジ軸を備え、このヒンジ軸を中心にして周囲に多数の歯を形成した固定歯車が前記ヒンジ板の下側でこのヒンジ軸又は前記ヒンジ板に取り付けられ、前記扉の上側には前記固定歯車の歯に噛み合って前記扉の開閉に伴って回転する回転歯車が設けられ、前記扉にはこの回転歯車の回転によって発電する回転機が設けられ、前記扉の開放に伴うこの回転機の発電電力を蓄積する蓄電部を設け、前記磁石に対応して前記本体に設けたホール素子の組み合わせにより前記扉の開閉位置を検出する扉位置検出装置を設け、前記扉の閉鎖動作時にこの扉位置検出装置の検出に基づき前記蓄積した電力によって前記回転機を前記扉閉鎖方向に回転する電力として供給する制御回路部を設けたことを特徴とする扉の開閉装置。
【請求項６】
前記固定歯車と前記回転歯車は前記扉の上面に形成した窪みに配置され、前記回転機が前記扉に内蔵されたことを特徴とする請求項１乃至５のいずれかに記載の扉の開閉装置。
【発明の詳細な説明】
【技術分野】
【０００１】
本発明は、扉の開閉装置に関し、特に、扉の開動作によって発電された電力を閉扉時に利用する扉の開閉装置に関する。
【背景技術】
【０００２】
扉の開閉動作に関連して発電機が設けられ、扉の閉鎖速度に応じて制動をかけて常に一定の速度で閉鎖できるものがある（例えば、特許文献１参照）。
【０００３】
特許文献１のものは、扉の開放動作により帯状ばねが巻かれてエネルギーを蓄積し、扉の閉鎖動作時は、蓄積された帯状ばねのエネルギーによって扉が閉鎖動作をする。この扉の閉鎖動作に伴って制動用発電機が回転して発電し、この電力が発電機へ入力されて制動力となるものである。
【特許文献１】特開２００２−４７０１号公報
【発明の開示】
【発明が解決しようとする課題】
【０００４】
この特許文献１の発明では、扉の閉鎖をバネ力によって行う場合に、扉の閉鎖速度を一定にするために制動用発電機を利用するものである。このため、バネ力によって扉が確実に閉まるように設計された形態である。しかし、家庭用冷蔵庫のように扉の閉鎖をバネ力で行うのではなく、その扉裏側のパッキングに冷蔵庫本体の前面の磁性体部分に吸着する永久磁石を内蔵させ、手で扉を開閉する形態のものにおいては、磁石の磁力をあまり強くすると扉を開ける際に大きな力が必要となって扉を開け難くなるため、あまり強い磁力の磁石にすることができない。このような関係から、扉を閉めたときのパッキングの弾力による反発や、扉を閉めたつもりでも磁石が確実に吸着していないこと等によって、扉が確実に閉まっていないことがある。
【０００５】
本発明は、上記の点に鑑み、家庭用冷蔵庫のように扉の閉鎖にバネ力を利用せず、その扉裏側のパッキングに冷蔵庫本体の前面の磁性体部分に吸着する永久磁石を内蔵させ、手で扉を開閉する形態のものにおいても、扉の閉鎖が確実に行える扉の開閉装置を提供するものである。
【課題を解決するための手段】
【０００６】
第１の発明は、前面開口の本体の一側にヒンジ装置のヒンジ軸によって横方向に開閉自在に支持された扉が設けられ、前記ヒンジ軸と同軸に周囲に多数の歯を形成した固定歯車が設けられ、前記扉には前記固定歯車の歯に噛み合って前記扉の開閉に伴って回転する回転歯車が設けられ、前記扉にはこの回転歯車の回転によって発電する回転機が設けられ、前記扉の開放に伴うこの回転機の発電電力を蓄積する蓄電部を設け、前記扉の閉鎖動作時にこの蓄積した電力によって前記回転機を前記扉閉鎖方向に回転する電力として供給する制御回路部を設けたことを特徴とする。
【０００７】
第２の発明は、前面開口の本体の一側にヒンジ装置によって横方向に開閉自在に扉が設けられ、この扉の裏側には前記本体の前面開口周縁部に当接する磁石内蔵パッキングが取り付けられ、前記ヒンジ装置は前記本体の上面に取り付けたヒンジ板から下方へ延びて前記扉が回動自在に支持されたヒンジ軸を備え、このヒンジ軸を中心にして周囲に多数の歯を形成した固定歯車が前記ヒンジ板の下側でこのヒンジ軸又は前記ヒンジ板に取り付けられ、前記扉の上側には前記固定歯車の歯に噛み合って前記扉の開閉に伴って回転する回転歯車が設けられ、前記扉にはこの回転歯車の回転によって発電する回転機が設けられ、前記扉の開放に伴うこの回転機の発電電力を蓄積する蓄電部を設け、前記扉の閉鎖動作時にこの蓄積した電力によって前記回転機を前記扉閉鎖方向に回転する電力として供給する制御回路部を設けたことを特徴とする。
【０００８】
第３の発明は、前面開口の本体の一側にヒンジ装置のヒンジ軸によって横方向に開閉自在に支持された扉が設けられ、前記ヒンジ軸と同軸に周囲に多数の歯を形成した固定歯車が設けられ、前記扉には前記固定歯車の歯に噛み合って前記扉の開閉に伴って回転する回転歯車が設けられ、前記扉にはこの回転歯車の回転によって発電する回転機が設けられ、前記扉の開放に伴うこの回転機の発電電力を蓄積する蓄電部と、磁石とホール素子の組み合わせにより前記扉の開閉位置を検出する扉位置検出装置とを設け、前記扉の閉鎖動作時にこの扉位置検出装置の検出に基づき前記蓄積した電力によって前記回転機を前記扉閉鎖方向に回転する電力として供給する制御回路部を設けたことを特徴とする扉の開閉装置である。
【０００９】
第４の発明は、前記固定歯車と永久磁石を前記本体側に設け、前記ホール素子、前記回転歯車、前記回転機、前記蓄電部及び前記制御回路部を前記扉側に設けたことを特徴とする。
【００１０】
第５の発明は、前面開口の本体の一側にヒンジ装置によって横方向に開閉自在に扉が設けられ、この扉の裏側には前記本体の前面開口周縁部に当接する磁石内蔵パッキングが取り付けられた冷蔵庫において、前記ヒンジ装置は前記本体の上面に取り付けたヒンジ板から下方へ延びて前記扉が回動自在に支持されたヒンジ軸を備え、このヒンジ軸を中心にして周囲に多数の歯を形成した固定歯車が前記ヒンジ板の下側でこのヒンジ軸又は前記ヒンジ板に取り付けられ、前記扉の上側には前記固定歯車の歯に噛み合って前記扉の開閉に伴って回転する回転歯車が設けられ、前記扉にはこの回転歯車の回転によって発電する回転機が設けられ、前記扉の開放に伴うこの回転機の発電電力を蓄積する蓄電部を設け、前記磁石に対応して前記本体に設けたホール素子の組み合わせにより前記扉の開閉位置を検出する扉位置検出装置を設け、前記扉の閉鎖動作時にこの扉位置検出装置の検出に基づき前記蓄積した電力によって前記回転機を前記扉閉鎖方向に回転する電力として供給する制御回路部を設けたことを特徴とする。
【００１１】
第６の発明は、前記固定歯車と前記回転歯車は前記扉の上面に形成した窪みに配置され、前記回転機が前記扉に内蔵されたことを特徴とする。
【発明の効果】
【００１２】
第１の発明は、扉の開放動作時に発電した電力によって扉の閉鎖動作を強制するため、扉の閉鎖が確実になる。
【００１３】
第２の発明では、家庭用冷蔵庫のように手で扉を開閉する形態であって、永久磁石内蔵パッキングを扉裏側に取り付けて冷蔵庫本体の前面の磁性体部分に吸着させる形態において、扉の開閉動作のし易さと気密保持とを考慮して、磁石を適度の強さに設定した場合にも、パッキングの弾力による反発や扉を閉めたつもりでも磁石が確実に吸着していないこと等によって、扉が確実に閉まっていない状況になっても、扉の開放動作時に発電した電力によって扉の閉鎖動作を強制するため、扉の閉鎖が確実になる。
【００１４】
第３の発明は、扉の開閉位置を検出する扉位置検出装置によって、扉が閉じる直前において電動機を駆動して扉を強制的に閉鎖することができる。扉が大きく開かれた状態から扉が閉まり始めると同時に電動機を駆動する場合には、多くの蓄積電力が必要となるため装置が大掛かりになるが、本発明では蓄積した電力供給が所定開度の扉位置からの有効に利用されるため、小さい装置によって扉の不確実な閉鎖状態を解消できるものとなる。
【００１５】
第４の発明は、冷蔵室扉９側に関連部品をまとめて配置収納できるため、組み立て易い構成となる。
【００１６】
第５の発明は、第３発明の効果に加えて、磁石を扉密閉用に設けたパッキンに内蔵された磁石を利用できるため、別個の磁石が不要となり、磁石の取り付けに特別の構造が不要となる。
【００１７】
第６の発明は、固定歯車と回転歯車が扉の上面に形成した窪みに配置されることによって、扉の実質的な高さを制限でき、冷蔵庫等の高さを制限できる。また電動機が扉に内蔵されることによって、耐水構造と安全性の確保ができる。
【発明を実施するための最良の形態】
【００１８】
本発明は、扉の開放動作時に発電した電力によって扉の閉鎖動作を強制する扉の開閉装置であり、本発明の実施例を以下に記載する。
【実施例１】
【００１９】
次に、本発明の実施の形態について説明する。図１は本発明に係る冷蔵庫の冷蔵室部分の開扉状態斜視図、図２は本発明の扉開閉装置の扉閉鎖状態平面図、図３は本発明扉開閉装置の扉の約４５°開放状態平面図、図４は本発明扉開閉装置の扉の約１０°開放状態平面図、図５は本発明の扉開閉装置の歯車部分の関係を示す側面図である。
【００２０】
本発明を図に基づき説明する。１は冷蔵庫であり、前面開口の本体２内を区画して複数の貯蔵室を形成し、これら各貯蔵室の前面は扉で開閉できる構成である。冷蔵庫本体２は外箱（外壁板）と内箱（内壁板）との間に発泡断熱材を充填した断熱構造である。冷蔵庫本体２内には、上から冷蔵室３、冷凍室４、野菜室（図示せず）が区画して設けられ、冷蔵室３内の底部にはその上方の冷蔵室３と棚板５にて区画された特定低温室６が設けられている。冷蔵室３内には、その左右側壁に設けた棚支持部４２に選択的に載置される複数段の棚板５が配置されている。
【００２１】
冷蔵室３の前面開口は、冷蔵庫本体２の一側部に上下のヒンジ装置１０にて支持されて横方向回動にて開閉される回動式扉９にて閉塞される。冷凍室４内上部には自動製氷機８が設けられ、その下部に貯氷容器（図示せず）を配置している。冷凍室４と野菜室にはそれぞれ左右レールが設けられ、この左右レールに前方へ引き出し自在に容器が支持され、この容器と共に前方へ引き出し自在な扉によって冷凍室４と野菜室の前面開口は開閉される構成である。冷凍室４と野菜室の前面開口も冷蔵室扉９と同様に前記容器とは分離して開閉される回動式扉構造とすることもできる。
【００２２】
７は自動製氷機８へ供給する製氷用水を貯める給水容器であり、冷蔵室３内において特定低温室６の横に区画形成した小室に配置されており、冷蔵室３の前面扉９を開いて前方へ取り出し自在である。製氷用水は給水容器７からポンプによって吸い上げられて給水パイプを介して自動製氷機８の製氷皿へ供給される仕組みである。
【００２３】
冷蔵庫１は、圧縮機で圧縮した冷媒を凝縮器で凝縮した後、膨張弁又はキャピラリチューブを通して減圧し、蒸発器（冷却器）で蒸発させて圧縮機へ帰還せしめ、再び圧縮機で圧縮して同じ循環を繰り返す冷凍システムを備えている。この冷凍システムの蒸発器（冷却器）で冷却した空気を冷蔵室３、特定低温室６、冷凍室４及び野菜室へ送風機で循環して、各室を所定温度に冷却する構成である。冷蔵室３へは複数の冷気吹き出し口１１から冷気が供給される。冷蔵室扉９の裏側には複数段に冷蔵食品を収納できるポケット部１２を設けている。
【００２４】
冷蔵室扉９の裏側周縁部には冷蔵庫本体２の前面開口周縁部の磁性体部に吸着する可撓性の永久磁石１３Ａを内蔵した可撓性パッキング１４が取り付けられ、パッキング１４が冷蔵庫本体２の前面開口周縁部に当接することによって、冷蔵庫本体２と冷蔵室扉９との気密を保つ構成である。
【００２５】
冷蔵室扉９を支持する上下のヒンジ装置１０のうち、上部のヒンジ装置１０に対応して冷蔵室扉９の上面には窪み２５が形成されている。冷蔵室扉９を支持する上下のヒンジ装置１０のうち、上部のヒンジ装置１０は、本体２の上面に取り付け螺子１６によって取り付けられて冷蔵室扉９の上面の窪み２５対応位置にまで延びたヒンジ板１５と、このヒンジ板１５の先端部から下方へ延びて冷蔵室扉９内に侵入して冷蔵室扉９を回動自在に支持したヒンジ軸１７を備え、このヒンジ軸１７を中心にして周囲に多数の歯１９を形成した固定歯車１８がヒンジ板１５の下側で窪み２５内において、ヒンジ軸１７又はヒンジ板１５に回転しない状態に取り付けられている。そして、冷蔵室扉９の上側には固定歯車１８の歯１９に噛み合って冷蔵室扉９の開閉に伴って回転する回転歯車２０の軸が軸受け２１によって回転自在に支持されて、窪み２５内に配置されている。
【００２６】
そして、冷蔵室扉９内には回転歯車２０の回転によって発電する回転機２２が設けられている。回転歯車２０の軸は、図示しない複数の歯車を介して回転機２２の回転軸に連結されており、これによって、回転歯車２０の回転によって回転機２２が回転歯車２０の回転よりもかなり速く多くの回転をするように構成される。
【００２７】
冷蔵室扉９の開放に伴って回転機２２は発電する。一つの構造としては、回転歯車２０の回転によって回転する回転子に複数の永久磁石を配置し、この回転子の回転によって固定子のコイルから発電電力を取り出すことができ、またこの固定子コイルに直流電力を通電することによって回転子が回転する仕組みであり、直流電動機構成である。このため、回転機２２は発電することからすれば発電機と称することもできるが、電動機と称することもできる。このため、以下、回転機２２は電動機２２と称することとする。
【００２８】
この発電電力は冷蔵室扉９内に設けた蓄電部２３で貯えられる。この発電電力の蓄電制御とこの蓄電電力を後述のように電動機２２へ供給する制御等は、冷蔵室扉９内に設けた制御回路部２４で行われる。蓄電部２３はコンデンサや電池で構成され、蓄電部２３と制御回路部２４は冷蔵室扉９内に設ける代わりに、その双方又はいずれか一方を本体２に設けることもできる。
【００２９】
本発明では、永久磁石１３とホール素子２６の組み合わせにより冷蔵室扉９の開閉位置を検出する扉位置検出装置を設けている。このホール素子２６は、永久磁石１３の磁界を受けてホール効果によるホール起電力を出力する。磁石１３とホール素子２６は、いずれか一方が冷蔵室扉９側に設けられ他方が冷蔵室扉９に対する固定側、即ち本体２側に設けられ、冷蔵室扉９の開閉によって相対的に離間しまた近接する状態に構成する。
【００３０】
図示の構成では、磁石１３は固定側となる本体２側である合成樹脂製固定歯車１８に一体的に埋め込まれており、その磁界は主として固定歯車１８の下側に形成されるような配置である。また、ホール素子２６は冷蔵室扉９側となる冷蔵室扉９内において冷蔵室扉９の窪み２５に対応した位置に設けられている。
【００３１】
このような構成において、冷蔵室扉９が閉じた状態では、図２及び図５に示すように、永久磁石１３とホール素子２６が最も正規状態に近接した位置である。この状態から冷蔵室扉９が開放されると、その開放に従って固定歯車１８の歯１９に噛み合った回転歯車２０が回転して電動機２２はその回転子の回転によって発電し、この発電電力は蓄電部２３に貯えられる。冷蔵室扉９は本体２に対して９０°以上の角度に開くことができる構成であるが、図３は冷蔵室扉９が略４５°開いた状態であり、ホール素子２６は永久磁石１３の磁界の影響を受けないように十分に離れた状態である。
【００３２】
冷蔵室扉９を開いた状態から閉鎖方向に回動すると、固定歯車１８の歯１９に噛み合った回転歯車２０が回転しつつ冷蔵室扉９が閉じる。この場合、本体２に対する冷蔵室扉９の開放角度が所定角度以下の範囲において、ホール素子２６は永久磁石１３の磁界の影響を受けてホール効果によるホール起電力を出力する。この所定角度は種々設定できるが、本発明の目的達成のためには、冷蔵室扉９を開いた状態から閉鎖方向に回動して本体２に近接した状態から、電動機２２によって冷蔵室扉９が強制的に閉鎖駆動されればよい。
【００３３】
このため、一つの実施例としては、冷蔵室扉９が閉じた位置を０°とすれば、この位置に対して本体２との角度が約１０°の範囲まで冷蔵室扉９が閉じられたとき、ホール起電力を発生するようにホール素子２６と永久磁石１３の位置関係を定め、ホール起電力が制御回路部２４に入力されるようにする。
【００３４】
冷蔵室扉９が閉じられてこの約１０°の所定角度範囲に入ったとき、制御回路部２４によって蓄電部２３の電力を電動機２２に供給して、冷蔵室扉９が閉じる方向に電動機２２を回転させることにより、冷蔵室扉９が強制的に閉鎖駆動されるため、万一冷蔵室扉９が本体２に近接した状態で不完全閉鎖状態になっても、冷蔵室扉９を本体２にきちっと閉めることができる。
【００３５】
なお、冷蔵室扉９の閉鎖回動によって電動機２２による回転歯車２０の回転よりも速く回転歯車２０が回転することができるため、冷蔵室扉９の閉鎖操作に支障が生じることはない。
【００３６】
このため、冷蔵室扉９の裏側周縁部に冷蔵室本体２の前面開口周縁部の磁性体部に吸着する永久磁石１３Ａを内蔵した可撓性パッキング１４が取り付けられた構成において、冷蔵室扉９が比較的強く閉じられたときに生じるパッキング１４の反発力によって、冷蔵室扉９が本体２から若干離れる場合にも、冷蔵室扉９を本体２にきちっと閉めることができる。
【００３７】
なお、冷蔵室扉９が閉鎖方向に回動するとき、固定歯車１８の歯１９に噛み合って回転歯車２０が回転し発電するが、所定角度範囲に入るまでの発電電力を制御回路部２４によって蓄電部２３に蓄電するようにしてもよい。この場合、冷蔵室扉９が閉鎖方向に回動されて所定角度範囲に入ったとき、ホール素子２６から発生するホール起電力に基づく制御回路部２４の動作によって回路を切り換える制御して、蓄電部２３に蓄電された電力を電動機２２に供給するように制御する方式がある。
【００３８】
冷蔵室扉９が９０°近くまで大きく開放された状態から閉じられる全範囲にわたって、蓄電部２３に蓄電された電力を電動機２２に供給するならば、装置が大掛かりになるが、上記のように、冷蔵室扉９が本体に近づいた状態から電動機２２に電力を供給して、電動機２２によって冷蔵室扉９を強制的に閉じることにより、蓄電電力を有効に利用でき、装置が小型化できるものとなる。
【００３９】
上記において、冷蔵室扉９が本体２の前面開口を閉じた状態で電動機２２への通電をＯＦＦさせる。その一つの方式として、冷蔵室扉９が本体２の前面開口を閉じた状態で、電動機２２の回転子の回転は拘束されるため、通常の状態よりも大きな電流が流れる。このときの大きくなった電流変化か電圧変化を制御回路部２４によって検知して、電動機２２への通電をＯＦＦさせることにより電動機２２の損傷を防ぐことができる。
【００４０】
上記の実施形態においては、固定歯車１８と永久磁石１３を本体２側に設け、ホール素子２６、回転歯車２０、回転機２２、蓄電部２３及び制御回路部２４を冷蔵室扉９側に設けている。これによって、冷蔵室扉９側にこれらをまとめて配置収納できるため、組み立て易い構成となる。
【００４１】
上記のように、磁石１３を扉位置検出装置専用として特別に設けることもできるが、本発明では、可撓性パッキング１４に内蔵した永久磁石１３Ａを利用することにより、構造の簡素化とコスト低減を図ることができる。この場合、ホール素子２６Ａは可撓性パッキング１４が当接する本体２の前面部に対応して設けられる。動作は上記同様である。
【産業上の利用可能性】
【００４２】
本発明は、冷蔵庫に適用した実施例を述べたが、冷凍庫、温蔵庫、恒温庫やその他の筐体に適用することもでき、扉の開閉位置を検出する扉位置検出装置の磁石とホール素子の配置は、扉と本体の関係によって対応すればよく、本発明の技術的範囲を逸脱しない限り種々の扉の開閉装置に適用できるものである。
【図面の簡単な説明】
【００４３】
【図１】本発明に係る冷蔵庫の冷蔵室部分の開扉状態斜視図である。（実施例１）
【図２】本発明の扉開閉装置の扉閉鎖状態平面である。（実施例１）
【図３】本発明扉開閉装置の扉の約４５°開放状態平面図である。（実施例１）
【図４】本発明扉開閉装置の扉の約１０°開放状態平面図である。（実施例１）
【図５】本発明の扉開閉装置の歯車部分の関係を示す側面図である。（実施例１）
【符号の説明】
【００４４】
１・・・冷蔵庫
２・・・冷蔵庫本体
３・・・冷蔵室
９・・・冷蔵室扉
１０・・ヒンジ装置
１３・・永久磁石
１３Ａ・・永久磁石
１４・・パッキング
１５・・ヒンジ板
１７・・ヒンジ軸
１８・・固定歯車
２０・・回転歯車
２２・・回転機（電動機）
２３・・蓄電部
２４・・制御回路部
２６・・ホール素子
２６Ａ・ホール素子
【図１】
2005120697.tif 000003
【図２】
2005120697.tif 000004
【図３】
2005120697.tif 000005
【図４】
2005120697.tif 000006
【図５】
2005120697.tif 000007